(57)【要約】  ユーザによるクリーム、ゲル、又は、ローションの塗布のためのパーソナルアプリケータは、クリーム、ゲル、又は、ローションがコーティングされた及び／又は含浸された可撓性長尺部材（１８）を容器（１４）の本体（１２）内に有する。可撓性長尺部材は、コードであってもよく、発泡体などの含浸可能な又は吸収性のシース又はコーティングで覆われる中実の又は伸縮性のある中心コアを有してもよい。容器は、例えばコードを引き込むようにスプリング付勢され得るスプール又はボビンを有するような引き込み機構（２０）を含むことができる。或いは、コードは、弾性巻き取り又は自己巻き取りなどによって自動で引っ込んでもよい。
2018504974.tif 000002
【特許請求の範囲】
【請求項１】
ユーザによるクリーム、ゲル、又は、ローションの塗布のためのパーソナルアプリケータであって、クリーム、ゲル、又は、ローションがコーティングされる及び／又は含浸される可撓性長尺部材を含むパーソナルアプリケータ。
【請求項２】
前記可撓性長尺部材にクリーム、ゲル、又は、ローションを補充するために所定量のクリーム、ゲル、又は、ローションを保持するための容器を含む請求項１に記載のアプリケータ。
【請求項３】
前記可撓性長尺部材は、ユーザが使用しないときに前記容器の本体内に少なくとも部分的に格納される請求項１又は２に記載のアプリケータ。
【請求項４】
前記格納は、前記可撓性長尺部材の上又は中へのクリーム、ゲル、又は、ローションの補充をもたらす請求項３に記載のアプリケータ。
【請求項５】
前記長尺部材は、使用時に、ユーザ自身の身体にクリーム、ゲル、又は、ローションを塗布するためにユーザの手の間で引き伸ばされる請求項１から４のいずれか一項に記載のアプリケータ。
【請求項６】
前記可撓性長尺部材は、塗布用の所定量のクリーム、ゲル、液体、又は、ローションを保持するための吸収材料を含む請求項１から５のいずれか一項に記載のアプリケータ。
【請求項７】
コード又はロープ上の少なくとも１つのスポンジローラを含む請求項６に記載のアプリケータ。
【請求項８】
前記可撓性長尺部材は、該可撓性長尺部材が使用のためにユーザの手の間で引き伸ばされるときに引張強度を与える引張部材を含む請求項１から７のいずれか一項に記載のアプリケータ。
【請求項９】
前記張力部材が合成コードを含む請求項８に記載のアプリケータ。
【請求項１０】
前記可撓性長尺部材は、それぞれのスイベルによって前記アプリケータの本体部及び／又は前記アプリケータのカバー部に取り付けられる請求項１から９のいずれか一項に記載のアプリケータ。
【請求項１１】
前記可撓性長尺部材は、引き込み機構を介して前記アプリケータの前記本体内へ引き込み可能である請求項１０に記載のアプリケータ。
【請求項１２】
前記引き込み機構は、スプリング又は他の付勢手段により駆動される引き込み機構を含む請求項１１に記載のアプリケータ。
【請求項１３】
前記可撓性長尺部材から余分なクリーム、ゲル、液体、又は、ローションを除去するための手段を含む請求項１から１２のいずれか一項に記載のアプリケータ。
【請求項１４】
スリット付きの膜又は開口の側縁を含み、これらを通じて又はこれらにわたって前記可撓性長尺膜がユーザによる引き伸ばし中に引き出される請求項１３に記載のアプリケータ。
【請求項１５】
同じ又は異なるクリーム、ゲル、液体、又は、ローションの１つ以上の付加的なディスペンサ／アプリケータを含む請求項１から１４のいずれか一項に記載のアプリケータ。
【請求項１６】
前記引き込み機構がフレームによって支持される請求項１１に記載のアプリケータ。
【請求項１７】
前記引き込み機構を交換又は再使用のために前記本体部から取り外しできる請求項１１又は１６に記載のアプリケータ。
【請求項１８】
前記引き込み機構は、前記アプリケータの前記本体部内への挿入のためのカートリッジ機構である請求項１７に記載のアプリケータ。
【請求項１９】
前記引き込み機構は、前記アプリケータの前記本体内で前記本体を横切って位置合わせされる軸の周りで回転できるように装着される引き込み部材を含む請求項１１又は１６に記載のアプリケータ。
【請求項２０】
前記引き込み部材は、前記軸の周りで回転できるように装着されるスプール、ボビン、又は、心棒を含む請求項１７に記載のアプリケータ。
【請求項２１】
前記引き込み機構は、錐体形のスプール、ボビン、又は、心棒を含む、或いは、対向する錐体の幅広い方の端部が両端にあるとともに該対向する錐体が中心部分で出会うように先細る対向錐体形のスプール、ボビン、又は、心棒を含む請求項１１，１２又は１８から２０のいずれか一項に記載のアプリケータ。
【請求項２２】
前記可撓性長尺部材は、引伸張力が十分に解放されるときに前記本体内に自動で引っ込む請求項１から２１のいずれか一項に記載のアプリケータ。
【請求項２３】
パーソナルアプリケータの本体部内への挿入のためのカートリッジ装置であって、コードのための引き込み部材と、前記コードを使用時に前記引き込み部材から引き伸ばすことができるようにするとともにユーザにより必要に応じて前記コードを前記引き込み部材上へ巻き戻すための引き込み機構とを含むカートリッジ装置。
【請求項２４】
前記引き込み部材は、前記コードを前記引き込み部材から引き伸ばす又は引き込む方向を横断する回転軸に沿って位置合わせされる請求項２３に記載のカートリッジ装置。
【請求項２５】
前記引き込み部材は、ユーザにより必要に応じて前記コードを前記引き込み部材に当接して引き込むために、スプリングなどの付勢手段によって付勢される請求項２３又は２４に記載のカートリッジ装置。
【請求項２６】
パーソナルアプリケータの交換可能な構成要素である請求項２３又は２４に記載のカートリッジ装置。
【請求項２７】
パーソナルアプリケータの使い捨て可能な構成要素である請求項２３又は２４に記載のカートリッジ装置。
【発明の詳細な説明】
【技術分野】
【０００１】
本発明は、クリーム、ゲル、液体、又は、ローション、例えば日焼け止め剤、防虫剤、及び／又は、保湿剤、或いは、これらの２つ以上の組み合わせを塗布する際に個人的に使用するためのアプリケータなどのパーソナルアプリケータに関する。
【背景技術】
【０００２】
皮膚に対する個人的な塗布のためのクリーム、ゲル、液体、又は、ローションは、一般的には、クリーム、ゲル、又は、ローションを収容する単純なチューブ、袋、又は、ボトルから注出される。チューブ、袋、又は、ボトルを開けた後、クリーム、ゲル、又は、ローションをユーザの皮膚上、又は、掌中、又は、指上に絞り出すことによって、クリーム、ゲル、液体、又は、ローションは注出されて皮膚の関連領域に擦り込まれる。
【０００３】
また、幾つかのディスペンサは、クリーム、ゲル、液体、又は、ローションが注出容器から該容器の開口に保持されるボールの表面をコーティングすることによって皮膚に直接に擦り付けられるようなローラベイラーアプリケータも含む。
【０００４】
湿潤ワイプが、時として、皮膚に対する保湿剤、防虫剤、又は、日焼け止め剤の個人的な塗布のために使用される。
【０００５】
チューブ、袋、ボトル、湿潤ワイプ、及び、ローラボール型ディスペンサを使用するそのような塗布は、前腕、大腿、下腿、及び、胸などの皮膚の領域に容易に到達するのは比較的簡単であるが、身体の他の領域には容易に到達せず、他人を補助的に利用できなければこれらの領域が全く被覆されない場合がある。
【発明の概要】
【発明が解決しようとする課題】
【０００６】
前述した欠点を念頭において、本発明を着想した。他の方法では手が届くことができなかった或いはクリーム、ゲル、液体、又は、ローションの十分な又は有効な被覆率で塗布するように手が届くことができなかった皮膚／身体の領域にユーザがクリーム、ゲル、液体、又は、ローションを個人的に塗布できるようにするクリーム、ゲル、液体、又は、ローションのためのアプリケータを提供することが望ましいことが分かっている。
【課題を解決するための手段】
【０００７】
以上を考慮して、本発明の一態様は、ユーザによるクリーム、ゲル、又は、ローションの塗布のためのパーソナルアプリケータであって、クリーム、ゲル、又は、ローションがコーティングされた及び／又は含浸された可撓性長尺部材を含むパーソナルアプリケータを提供する。
【０００８】
好ましくは、アプリケータは、可撓性長尺部材にクリーム、ゲル、又は、ローションを補充するために所定量のクリーム、ゲル、又は、ローションを保持するための容器を含む。
【０００９】
可撓性長尺部材は、好ましくは、ユーザが使用しないときに容器の本体内に少なくとも部分的に格納されてもよい。そのような格納は、アプリケータの不使用期間中に可撓性長尺部材の上又は中へのクリーム、ゲル、又は、ローションの補充を可能にしてもよい。
【００１０】
好ましくは、使用時に、長尺部材は、ユーザがクリーム、ゲル、又は、ローションでコーティングされ又は含浸された可撓性部材を使用して自分自身の身体に、特に自分自身の背中及び後肩、とりわけユーザの肩間のユーザの中心脊椎領域などの手の届くのが困難又は不可能な領域にクリーム、ゲル、又は、ローションを塗布できるようにユーザの手の間で引き伸ばされる。これは、そのような領域に対するクリーム、ゲル、又は、ローションの塗布を確保し、それにより、虫にかまれるリスク、日焼け及び他のＵＶ関連の皮膚損傷のリスク、小型化を欠く乾燥形態などのリスクを回避する又は少なくとも減少させる。
【００１１】
人が自分の背中や首の後領域などの困難な身体領域に届くための容易に使用できるクリーム、ゲル、液体、又は、ローションアプリケータを本発明の１つ以上の実施形態が提供することが分かる。本発明の実施形態の技術を利用して、人は、例えば、日焼け止め、防虫剤、又は、保湿剤、或いは、それらの組み合わせを自分の背中に対してそれが十分な被覆面積を可能にするように簡単且つ均一に塗布することができる。
【００１２】
本発明の少なくとも１つの実施形態に係るアプリケータは、クリーム、ゲル、液体、又は、ローションをコーティング及び／又は含浸して成るスポンジローラ型ロープなどの可撓性長尺部材をクリーム、ゲル、液体、又は、ローションのリザーバを保持する容器からユーザが引き伸ばす又は引き出すことができるようにする。
【００１３】
好ましくは、所定量のクリーム、ゲル、液体、又は、ローションが、スポンジにコーティングする又は含浸する余分なクリーム、ゲル、液体、又は、ローションを最小限に抑える開口を通じて容器から引き出される。
【００１４】
好ましくは、可撓性長尺部材は、該可撓性長尺部材が使用のためにユーザの手の間で引き伸ばされるときに引張強度を与える引張部材を含む。例えば、スポンジの内側の又はスポンジのための支持をもたらすナイロン又はポリエステルなどの合成コードが、使用時に引き伸ばされたアプリケータに対して強度を付加する。
【００１５】
本発明の１つ以上の実施形態によれば、可撓性長尺部材は、それぞれのスイベルによってアプリケータの本体部及び／又はアプリケータのカバー部に取り付けられてもよい。例えば、スポンジ及びコードの疲労を最小限に抑えるために、上端及び／又は下端にスイベルを組み込んで設けてもよい。
【００１６】
好ましくは、可撓性長尺部材は、引き込み機構を介してアプリケータの本体内へ引き込み可能であってもよい。例えば、クリーム、ゲル、液体、又は、ローションのリザーバの底部などの容器本体の基部に、スプリング駆動の引き込み機構が設けられてもよい。
【００１７】
したがって、長尺可撓性部材、及び、可撓性長尺部材の一部を形成する又は可撓性長尺部材に取り付けられる任意の吸収材料は、リザーバ内への引き込みによって自己潤滑されてもよく、また、好ましくは、それがユーザによる使用のために引き伸ばされるときに容易に展開されてもよい。
【００１８】
本発明の１つ以上の実施形態によりユーザがローションリザーバを開放してクリーム、ゲル、液体、又は、ローションで覆われたスポンジローラ型コード（又はロープ）を引き出すことができるのが分かる。
【００１９】
好ましくは、容器は、余分なクリーム、ゲル、液体、又は、ローションを可撓性長尺部材から除去するための手段、例えば、スリット付きの膜（単一スリット、二重交差スリット、又は、星形スリット）或いは開口の側縁を含み、これらの膜又は側縁を通じて或いはこれらの膜又は側縁にわたって可撓性長尺膜がユーザによる引き伸ばし中に引き出される。これは、例えばスポンジからの余分なクリーム、ゲル、液体、又は、ローションを最小限に抑えるのに役立つ。
【００２０】
本発明の１つ以上の実施形態は、複数の機能を有する使用が容易な１つのクリーム、ゲル、液体、又は、ローションアプリケータをユーザが有することができるようにするために、ローラ、スプレー、及び、締め付け型のディスペンサリザーバなどの付加的なディスペンサ／アプリケータを例えば二部品形態の上部に含めることができるようにする。
【００２１】
好ましくは、アプリケータは、強力なナイロンストレッチコードを取り囲むローラとして、発泡体又は吸収材料などの多くのスポンジを含む。スポンジは、ローションを吸収するとともに、転がり動作によって皮膚への浸透を可能にする。好ましくは３〜７個、より好ましくは５個のスポンジ型ローラが設けられる。
【００２２】
引き込み機構は、格納及び再コーティングのために本体部内にコードを引き込む最中にコードが周囲に巻回する引き込み部材を含んでもよい。引き込み部材は、スプール、ボビン、又は、心棒であることが好ましい。引き込み部材は、アプリケータの本体を横切って位置合わせされる回転軸上に配置されてもよい。引き込み部材は、錐体形、湾曲形、又は、錐体の幅狭い端部が互いに向き合う又は接触する二重錐体形であってもよい。この後者の配置は、引き込み部材の一端でコードのバンチングを防ぐのに役立つことができる。
【００２３】
引き込み部材は、該引き込み部材の中心軸上にコードが確実に巻き付くようにするのに役立つためのガイドをその両端に含んでもよい。
【００２４】
好ましくは、引き込み機構は、フレームによって支持され又はフレームを含む。引き込み機構を交換又は再使用のために本体部から取り外すことができてもよい。例えば、引き込み機構は、カートリッジ装置として又はカートリッジ装置の一部として設けられてもよい。したがって、引き込み機構は、アプリケータの本体部内への挿入のためのカートリッジ機構であってもよく又はカートリッジ機構を含んでもよい。
【００２５】
引き込み機構は、アプリケータの本体内で本体を横切って位置合わせされる軸の周りで回転できるように装着される引き込み部材を含んでもよい。例えば、引き込み部材は、軸の周りで回転できるように装着されるスプール、ボビン、又は、心棒を含んでもよい。
【００２６】
本発明の他の形態は、パーソナルアプリケータの本体部内への挿入のためのカートリッジ装置であって、コードのための引き込み部材と、コードを使用時に引き込み部材から引き伸ばすことができるようにするとともにユーザにより必要に応じてコードを引き込み部材上へ巻き戻すための引き込み機構とを含む、カートリッジ装置を提供する。
【００２７】
好ましくは、引き込み部材は、コードを引き込み部材から引き伸ばす又は引き込む方向を横断する回転軸に沿って位置合わせされる。
【００２８】
カートリッジ装置は、ユーザにより必要に応じてコードを引き込み部材に当接して引き込むために、スプリングなどの付勢手段によって付勢される引き込む部材を含んでもよい。
【００２９】
カートリッジ装置は、パーソナルアプリケータの交換可能又は使い捨て可能な構成要素を含んでもよく或いは該構成要素であってもよい。したがって、コードを交換することができ、また、引き込み機構を再使用することができ、又は、コード及び／又は機構を十分に使用した後に処分することができる。
【００３０】
以下、添付図面を参照して、本発明の１つ以上の実施形態について説明する。
【図面の簡単な説明】
【００３１】
【図１】可撓性長尺部材が容器の本体内に格納された状態の本発明の一実施形態に係るパーソナルアプリケータの斜視図を示す。
【００３２】
【図２】可撓性長尺部材が引き伸ばされた状態の図１に表わされる実施形態の斜視図を示す。
【００３３】
【図３】使用中のパーソナルアプリケータの一実施形態の２つの図である図３ａ及び図３ｂを示す。
【００３４】
【図４】長尺部材が横方向／側方スプール又は心棒の周囲に巻回された状態の本発明の更なる実施形態に係るアプリケータの縦断側面図を示す。
【００３５】
【図５】可撓性長尺部材が容器の本体から引き伸ばされて横方向／側方スプール／心棒から繰り出された状態の図４に表わされる実施形態を示す。
【００３６】
【図６】錐体形のスプール又はボビンを有する本発明の更なる実施形態に係る別のタイプのパーソナルアプリケータを示す。
【００３７】
【図７】可撓性長尺部材が錐体形のスプール又はボビンから繰り出された状態の図６に表わされる実施形態を示す。
【００３８】
【図８】自動で引っ込む可撓性長尺部材が引き込み状態にある本発明の更なる実施形態を示す。
【００３９】
【図９】可撓性長尺部材が引き伸ばされた状態の図９に表わされる実施形態を示す。
【００４０】
【図１０】本発明の１つ以上の実施形態の可撓性長尺部材を貫く断面を示す。
【発明を実施するための形態】
【００４１】
図１及び図２に示されるように、本発明の一実施形態に係るアプリケータ１０は本体部１２を含み、この本体部１２は、不使用時に本体部内に格納される又はクリーム、ゲル、液体、又は、ローションの補充中に引き込まれる可撓性長尺部材１８にコーティングする及び／又は含浸させるためにクリーム、ゲル、液体、又は、ローションのためのリザーバ１４を備える。例えば輸送又は保管などのためにアプリケータが使用されないときには、キャップ１６が本体１２の開放端を覆う。また、キャップは、ユーザの一方の手のためのアプリケータのハンドグリップ部も与え、その一方で、本体部は、ユーザの他方の手のためのハンドグリップ部を与える。
【００４２】
本体部及び／又はキャップは、表面テクスチャを有してもよく、及び／又は、それぞれの部分の把持性を高めるように形成されてもよい。例えば、本体部又はキャップの少なくとも一部の外面は、把持性向上のためにリブが付けられ又は隆起されてもよく、及び／又は、ネオプレン或いは他のゴム引き材料又は発泡材料などの柔軟な握持テクスチャ又はコーティングを有してもよい。
【００４３】
可撓性長尺部材１８は、その一端が本体内に収容される引き込み機構の部分２０に取り付けられる。引き込み機構は、ユーザから加えられる張力が解放されるときに可撓性長尺部材を自動的に引き込むように駆動されるスプリング（又は他の付勢手段）であることが好ましい。したがって、可撓性長尺部材が本体から引き伸ばされるにつれて、スプリング張力が増大し、例えば引き込み中に可撓性長尺部材が巻き付けられているスプリング駆動のスプール又はボビンなど次にいつでも引き伸ばして使用できるようになる。
【００４４】
可撓性長尺部材は、別個の引き込み機構を必要とせずに自動で引っ込んでもよい。例えば、図８及び図９に示されるように、本発明の１つ以上の実施形態は、弾性／伸縮性のある可撓性長尺部材を含んでもよい。可撓性長尺部材は、使用後に又はローション／液体／ゲル／クリームを可撓性長尺部材上に補充するべく引き伸ばされた及び／又は伸張された可撓性長尺部材を容器の本体内へと弾性収縮させるために弾性材料の中心コアを含んでもよい。
【００４５】
可撓性長尺部材は、織り材料を成してもよく、又は、中心コア上にわたって発泡シース又はカバーを有してもよく、又は、これらの組み合わせであってもよい。発泡体は、その後のユーザの皮膚との接触のためにローション／液体／ゲル／クリームを吸収するようにオープンセル発泡体であってもよい。
【００４６】
これに代えて又は加えて、可撓性長尺部材は、張力が解放されるときにそれ自体が自動的に引き込むことにより保管のために可撓性長尺部材の有効長さを短くする例えば弾性コードのように伸縮性があってもよい。
【００４７】
可撓性長尺部材１８は、伸縮性又はさもなければ弾力性があってもよく、また、引き込む／引き込まれるときに、例えばコイル状の可撓性長尺部材１８ａとして図８に示されるようにコンパクトな状態まで自動的にコイル状になってもよい。
【００４８】
スプール又はボビン２０は、本体に対して自由に回転してもよく、すなわち、スプリング駆動される必要がない。そのため、可撓性長尺部材が引き伸ばされた時点で（図４の３０）、ユーザは、一方の手で本体１２を保持してカバー１６を保持できるとともに、可撓性長尺部材又は関連するスポンジの上又は中のクリーム、ゲル、液体、又は、ローションをユーザ、例えばユーザの背中又は肩との接触によって塗布するために可撓性長尺部材を本体及びカバーに対して転がせることができる。
【００４９】
本体の開口にはワイパー装置２４が設けられる。ワイパー装置は、余分なクリーム、ゲル、液体、又は、ローションを可撓性長尺部材上の吸収手段から及び／又は表面から除去できるようにする。好ましくは、ワイパー装置は、ワイパー部２４ａ，２４ｂを含んで、これらのワイパー部間にスリット又は他の開口２６を画定しており、それにより、可撓性長尺部材がスリットを通じて引き出されて、余分なクリーム、ゲル、液体、又は、ローションが可撓性長尺部材から除去されてリザーバ１４内にとどまる。
【００５０】
使用時、人は、本体１２からカバー／キャップ１６を取り外して、可撓性長尺部材１８を引き伸ばす。リザーバ１４内からクリーム、ゲル、液体、又は、ローションが可撓性長尺部材によって運ばれ、また、任意の余分なものが本体の外側に露出される前にワイパー装置で拭き取られる。可撓性長尺部材がカバーと本体との間で引き伸ばされ、また、ユーザは、可撓性長尺部材上の吸収性材料を自分の身体に、特に自分の背中及び後肩に押し付けて転がす及び／又は拭くことによってクリーム、ゲル、液体、又は、ローションを塗布することができる。
【００５１】
アプリケータの使用は、ある程度の軽い運動及びストレッチングを与えることもでき、これは、虚弱者、高齢者、又は、座っていることの多い人にとって非常に有益である。
【００５２】
図４及び図５の実施形態に示されるように、可撓性長尺部材１８は、使用後に或いは本体内のリザーバ内に保持されるクリーム、ゲル、液体、又は、ローションの補充のために、本体内へ自動的に引き込まれ得る２８。可撓性長尺部材は、いつでも使用できるように、また、絡まりを防止するために、中心スピンドル２０ｂの周囲に巻き付く。別の実施形態又はこの実施形態に加えて、可撓性長尺部材は含むことができ又は伸縮性を有することができる。
【００５３】
アプリケータは、可撓性長尺部材を使用するクリーム、ゲル、液体、又は、ローションの塗布の補助としての伝統的な注出のためのクリーム、ゲル、液体、又は、ローションのポンプディスペンサ、ローラ型ディスペンサ、又は、他の付加的なリザーバを含んでもよい。
【００５４】
図５及び図６に示されるアプリケータ１０は本体部１２を有し、この本体部１２は、ユーザが可撓性長尺部材を本体部に対して引くことによって本体部から伸びる可撓性長尺部材１８（例えばコード）のための引き込み機構１４を収容する。
【００５５】
引き込み機構は、可撓性長尺部材を本体部から引き伸ばすことができるようにし、また、可撓性長尺部材の解放時に、又はさもなければ、引き込み機構の作動によって、可撓性長尺部材が本体部内に引き込まれる。
【００５６】
可撓性長尺部材の引き込みは、好ましくは、付勢手段（スプリングなど）の作動による。例えば、本体部内に保持される引き込み部材２０（例えばスプール、ボビン、又は、心棒を含む）は、コードを本体部内へ引き込むためにスプリング付勢される。そのような引き込みは、例えばユーザによる可撓性長尺部材の解放時に、又は、可撓性長尺部材の急な外方への「引張り」などにより、引き込み機構と係合して引き込みを引き起こすように作動されるときに自動で成すことができる。したがって、引き込み機構は、可撓性長尺部材を選択された引き伸ばし長さで保持するためのロック機構を含むことができ、作動時にのみ可撓性長尺部材を引き込む。
【００５７】
引き込み部材２０は、本体部内の挿入及び構造的剛性のためにフレーム２０ａ内に装着され得る。
【００５８】
可撓性長尺部材の先端１１を本体部の開口２６を覆うための蓋１６に取り付けることができる。蓋内には、可撓性長尺部材の先端のための取り付け部分２２がある。この取り付け部は、示されるような図中で本体部へ向けて延びる軸の周りでの回転を可能にし得る。この回転は、ローションがコーティングされた／含浸された可撓性長尺部材及び任意の関連する発泡体が皮膚にわたって転がることができるようにすることによって皮膚にわたる転がり動作及びローションの供給を促進させる。
【００５９】
図６及び図７に示される実施形態では、スプールを本体に対して横方向／側方ではなく本体に沿って縦方向に位置合わせすることができる。この配置は、可撓性長尺部材をより容易にスプール上へ巻回できるとともにスプールから繰り出すことができるようにし、それにより、コードの「バンチング」を防止するのに役立つとともに、縦方向のスプール上へのコードのための縦から水平への案内要件を回避するのに役立つ。
【００６０】
スプール又はボビンを逆向きの錐体にすることができ、この場合、錐体の幅広い方の端部は、可撓性長尺部材が本体から伸びるための開口の方へ向けられる。或いは、錐体形のスプール又はボビンは、その幅広い方の端部を本体の閉端部の方へ向けることができる。或いは、スプール又はボビンは、スプール上又はボビン上へ引き込む可撓性長尺部材を中心に集めるのに役立つべく、両側の幅広い方の端部が幅狭い中心部分へ向けて先細る対向錐体構造を有することができる。
【００６１】
アプリケータの本体部の開口は、コードが伸びる際にコードから余分なローションを除去するためのワイパー装置１１６を含み、このワイパー装置は、コードが引き込む際にコードを拭き取ることによって開口で汚れ、砂、又は、他の汚染物質を除去することができる。このワイパー装置は、コード及びコードに沿う任意の発泡体被覆又は中心部の過剰なコーティングを防止するのに役立つとともに、汚染物質がアプリケータ内に保持されるローションのリザーバ内へ入るのを防止する。
【００６２】
本体部の閉端にあるリザーバ１４は、アプリケータの使用前に、又は、使用中にコードを引き込んで再び引き伸ばすことによりコードにローションを補充するために、引き込まれたコードをコーティングするためのローションを保持する。
【００６３】
コードは、それ自体がローションを保持するための多孔質部分を少なくとも有することができる、或いは、発泡体、好ましくはオープンセル発泡体、又は、それらの組み合わせによってコーティングされる又は被覆され得る、連続したコードであってもよい。好ましくは、コードは、コード及びローションコーティングを本体部から使用のために引き伸ばすことができるようにする引張強さを与える。
【００６４】
例えば本体１２の内壁１２ａ上の又は引き込み機構２０のスプール、ボビン、又は、心棒の縁部又は端部へと向かう１つ以上のガイドは、引き込み中にコードの磨耗及びバンチングを防止するのに役立つ。
【図１】
2018504974.tif 000003
【図２】
2018504974.tif 000004
【図３】
2018504974.tif 000005
【図４】
2018504974.tif 000006
【図５】
2018504974.tif 000007
【図６】
2018504974.tif 000008
【図７】
2018504974.tif 000009
【図８】
2018504974.tif 000010
【図９】
2018504974.tif 000011
【図１０】
2018504974.tif 000012
【国際調査報告】
2018504974.tif 000013
2018504974.tif 000014
2018504974.tif 000015
2018504974.tif 000016
2018504974.tif 000017